(57)【要約】  本開示は、概して、ウェブベース物品を追跡するための方法、及びウェブベース物品の出処を認証する方法に関する。本開示の他の態様は、ウェブベース物品のための追跡システム、及び物品の出処を追跡及び認証できる識別記号を有するウェブベース物品に関する。
2019502939.tif 000002
【特許請求の範囲】
【請求項１】
ａ．１又は複数の層と、
ｂ．複数の識別記号と、
を備える親フィルムであって、
前記親フィルムは幅及び長さを有し、
前記複数の識別記号の各々が互いに異なっており、
前記識別記号は、前記親フィルムの前記幅全体及び前記親フィルムの前記長さ全体にわたって前記親フィルムに配置されており、
前記親フィルムは、前記親フィルムよりも小さな表面積を各々に有する１又は複数の子フィルムに細分化することができる、親フィルム。
【請求項２】
前記親フィルムは、細分化されて第１の子フィルムをもたらし、前記子フィルムは、１又は複数の子フィルムに後で細分化できる第２の親フィルムになる、請求項１に記載の親フィルム。
【請求項３】
前記親フィルムは、細分化されて第１の子フィルムをもたらし、前記子フィルムは、１又は複数の子フィルムに後で細分化できる第２の親フィルムになる、請求項１に記載の親フィルム。
【請求項４】
前記親フィルムの各識別記号が、前記識別記号を含む前記子フィルムを一意的に識別できる、データベースに記憶された情報に関連付けられており、前記データベースに記憶された前記情報は、前記親フィルムの製造日、前記親フィルムの製造場所、前記親フィルムのロット番号、前記親フィルムの包装及び輸送情報、前記親フィルムを含むロールのコア、前記親フィルムが輸送された包装箱、及び前記親フィルムが輸送されたパレットを識別する情報、請求情報、並びにそれらの組合せから選ばれた情報を含む、請求項１〜３のいずれか一項に記載の親フィルム。
【請求項５】
前記親フィルム上の前記識別記号の少なくとも１つが、フィルムロールのコア、箱、及びパレット上の識別記号と親子関係にある、請求項１〜４のいずれか一項に記載の親フィルム。
【請求項６】
前記識別記号の各々がマトリックスデータコードである、請求項１〜５のいずれか一項に記載の親フィルム。
【請求項７】
フィルムが窓用フィルムである、請求項１〜６のいずれか一項に記載の親フィルム。
【請求項８】
前記フィルムはライナーを備え、前記複数の識別記号は、前記ライナーの外側面に印刷されている、請求項１〜７のいずれか一項に記載の親フィルム。
【請求項９】
追跡システムであって、前記追跡システムは、
ａ．親フィルムであって、
○１又は複数の層と、
○複数の識別記号と、
を備え、
前記親フィルムは幅及び長さを有し、
前記複数の識別記号の各々が互いに異なっており、
前記識別記号は、前記親フィルムの前記幅全体及び前記親フィルムの前記長さ全体にわたって前記親フィルムに配置されており、
前記親フィルムは、前記親フィルムよりも小さな表面積を各々に有する１又は複数の子フィルムに細分化することができる、親フィルムと、
ｂ．前記複数の識別記号の各々に関する記憶された情報を備えるデータベースであって、
各識別記号の前記記憶された情報は、前記識別記号が配置された各子フィルムを一意的に識別するのに十分であり、
各識別記号の前記記憶された情報は、各子フィルムを前記親フィルムに関連付けるのに十分である、データベースと、
を備える追跡システム。
【請求項１０】
前記親フィルムは、細分化されて第１の子フィルムをもたらし、前記子フィルムは、１又は複数の子フィルムに後で細分化できる第２の親フィルムになる、請求項９に記載の追跡システム。
【請求項１１】
前記親フィルムの各識別記号が、前記識別記号を含む前記子フィルムを一意的に識別できる、データベースに記憶された情報に関連付けられている、請求項９又は１０のいずれか一項に記載の追跡システム。
【請求項１２】
フィルムを認証するための方法であって、前記方法は、
ａ．親フィルムを用意することであって、
ｂ．前記親フィルムは、
○１又は複数の層と、
○複数の識別記号と、
を備え、
前記親フィルムは幅及び長さを有し、
前記複数の識別記号の各々が互いに異なっており、
前記識別記号は、前記親フィルムの前記幅全体及び前記親フィルムの前記長さ全体にわたって前記親フィルムに配置されており、
前記親フィルムは、前記親フィルムよりも小さな表面積を各々に有する１又は複数の子フィルムに細分化されており、
前記子フィルムは、少なくとも１つの識別記号を有する、ことと、
ｃ．データベースを用意することであって、
ｄ．前記データベースは、複数の認証識別記号に関する記憶された情報を備え、
各識別記号の前記記憶された情報は、前記識別記号が配置された子フィルムを一意的に識別するのに十分であり、
各識別記号の前記記憶された情報は、子フィルムを前記子フィルムの親フィルムに関連付けるのに十分である、ことと、
ｅ．前記子フィルム上の１又は複数の識別記号が認証識別記号であることを確認することと、
を含む方法。
【請求項１３】
前記親フィルムは、細分化されて第１の子フィルムをもたらし、前記子フィルムは、１又は複数の子フィルムに後で細分化できる第２の親フィルムになる、請求項１２に記載の方法。
【請求項１４】
前記親フィルムの各識別記号が、前記識別記号を含む前記子フィルムを一意的に識別できる、データベースに記憶された情報に関連付けられている、請求項１２に記載の方法。
【請求項１５】
前記親フィルムの各識別記号が、前記識別記号を含む前記子フィルムを一意的に識別できる、データベースに記憶された情報に関連付けられており、前記データベースに記憶された前記情報は、前記親フィルムの製造日、前記親フィルムの製造場所、前記親フィルムのロット番号、前記親フィルムの包装及び輸送情報、前記フィルムを含むロールのコア、前記親フィルムが輸送された包装箱、及び前記親フィルムが輸送されたパレットを識別する情報、請求情報、並びにそれらの組合せから選ばれた情報を含む、方法を対象とする請求項１２〜１４のいずれか一項に記載の方法。
【発明の詳細な説明】
【技術分野】
【０００１】
本開示は、概して、ウェブベース物品を追跡するための方法、及びウェブベース物品の出処（origin）を認証する（authenticating）方法に関する。本開示の他の態様は、ウェブベース物品のための追跡システム、及び物品の出処を追跡及び認証できる識別記号を有するウェブベース物品に関する。
【背景技術】
【０００２】
偽造は、各種の産業の企業にとって深刻化する問題である。最近の推定では、偽造品及び海賊版の世界貿易に関する２０１５年の予測値が、全世界で１兆７０００億ドルになることが示唆されている。偽造問題は、安価で高品質なカラーコピー機、プリンタ及びスキャナの導入以来、ますます深刻になっている。それらの装置が比較的安価に利用可能となったのはごく最近であるが、偽造者が多くの製品の包装及び認証の特徴を複製することを可能にする。
【０００３】
高く評価される周知のブランド品及び製品を有する企業は、しばしば偽造の試みを受ける。多数のセキュリティ特徴が、消費財の認証を助けるために開発されており、偽造者が価値のある製品のにせものを作り出すことを防止するのを助ける。それらのセキュリティ特徴の一部としては、オバートセキュリティ特徴又はコバートセキュリティ特徴を挙げることができ、それらの適用及び使用は、保護される物品の種類に依存する。オバートセキュリティ特徴は、肉眼で容易に見られる特徴であり、そのような特徴としては、ホログラム及び他の光学的に可変な回折画像、凹凸画像、並びにカラーシフトフィルムを挙げることができる。対照的に、コバートセキュリティ特徴としては、特定波長の光、偏光、再帰反射光による検査など、特定の状況でのみ見られる画像が挙げられる。
【０００４】
自動車窓用フィルムの偽造は、窓用フィルム製造者にとって世界的に深刻化する問題である。利用可能なセキュリティ特徴の商業的成功は、特定の消費財において印象的であったが、窓用フィルムにおける使用は、自動車窓用フィルムのビジネスの性質、並びに窓用フィルム自体の特性及び取り扱いに固有の制限によって、制約され、成功も限られている。よって、窓用フィルム及び他のウェブベース物品の偽造を抑止するのに適した新規の方法及びシステムを提供する現在の必要性がある。
【発明の概要】
【０００５】
一実施形態では、本開示は、複数の識別記号を有するウェブベース物品を対象とし、物品は、より小さな他の物品に分割することができ、識別記号は、物品の追跡と物品の出処元の認証との両方を可能にする。いくつかの実施形態では、識別記号は、ウェブベース物品のライナーに印刷することができ、ライナーは、ウェブベース物品を使用目的に従って取り付けるか又は使用するときに除去することができる。他の実施形態では、識別記号が、ウェブベース物品のライナーとは反対側の最も外側の層に直接印刷されている。
【０００６】
特定の実施形態では、識別記号は、ウェブベース物品に配置されているのみならず、ウェブベース物品を含むロールのコア、ウェブベース物品が輸送された包装箱、及びウェブベース物品が輸送されたパレットなどの他のアイテムに配置されている。それらの実施形態では、様々な構成要素の識別記号は、全て互いに関連付けられ、ウェブベース物品の製造日、ウェブベース物品の製造場所、ウェブベース物品のロット番号、ウェブベース物品の包装及び輸送情報、請求情報など、データベースに含まれる情報にリンクすることができる。様々なアイテムは、製造から最終消費者までの流通過程全体の様々な場所でスキャンされるので、ウェブベース物品を、より詳細なレベルで追跡することが可能である。その上、同じ種類のウェブベース物品について様々な流通の経路及び場所において価格差がある限りにおいて、所与の地理的マーケットを目的とするが、実際には異なる場所で販売されるグレイマーケット商品を追跡及び排除することも可能である。
【０００７】
概して、本明細書に記述されるウェブベース物品の識別記号は、市販のスキャナを用いて、又はスマートフォン及びタブレットを用いてスキャンすることができる。使用者がスマートフォン又はタブレットを用いる場合、識別記号は、各オペレーティングシステム用の市販のソフトウェア（「アプリケーション」）を用いてスキャンすることができ、又は様々な使用者のための様々な機能を有するように設計されたカスタマイズアプリケーションを用いてスキャンすることができる。例えば、ウェブベース物品を製造する企業の従業員が、ウェブベース物品に関連付けられたロールの製造用設備、ロット番号などに関する情報にアクセス可能でもよい一方、最終消費者は、認証用スクリーン（又はウェブサイト）、保証の情報及び登録、又は製品若しくは他の関連製品に関するマーケット情報へのアクセスを有してもよい。いくつかの実施形態では、流通業者又は取り付け者は、ロール内のウェブベース物品上の識別記号をスキャン可能でもよく、ロールに残された材料の量を知ることが可能でもよい。
【０００８】
詳細な説明のセクション及び特許請求の範囲には、追加の実施形態が記述されている。
【０００９】
本明細書に用いられる科学的用語及び技術的用語は全て、特に指示がない限り、当該技術分野で一般に用いられる意味を有する。本明細書に提示される定義は、本出願で頻繁に用いられる特定の用語の理解を促すためのものであり、そうした用語の本開示の文脈における妥当な解釈を排除することを意図していない。
【００１０】
特に示さない限り、本明細書及び特許請求の範囲に用いられる加工寸法（特徴サイズ）、量及び物理的特性を表す、説明及び特許請求の範囲における数字は全て、全ての場合において、「約」という用語によって修飾されているものとして理解されるべきである。したがって、特に反対の記載がない限り、上記の明細書及び添付の特許請求の範囲で説明される数値パラメータは、本明細書に開示される教示を利用して当業者が得ようとする所望の特性に応じて変わり得る近似値である。最低でも、また特許請求の範囲への均等論の適用を制限する試みとしてでなく、各数値パラメータは、少なくとも、報告される有効桁の数を踏まえて、通常の四捨五入法を適用することによって、解釈されるべきである。本発明の広い範囲を記載する数値範囲及びパラメータは近似値であるが、具体例に記載されている数値は、可能な限り正確に報告されている。しかしながら、どの数値も、それぞれの試験測定値に見られる標準偏差から必然的に生じる一定の誤差を本質的に含んでいる。
【００１１】
端点による数値範囲の列挙には、その範囲内に包含される全ての数値（例えば、１〜５の範囲は、例えば、１、１．５、２、２．７５、３、３．８０、４及び５を含む）、及びその範囲内の任意の範囲が含まれる。
【００１２】
本明細書及び添付の特許請求の範囲に用いられる場合、単数形「ａ」、「ａｎ」及び「ｔｈｅ」は、その内容に別段の明確な指示がない限り、複数の参照物を有する実施形態を包含する。本明細書及び添付の特許請求の範囲に用いられる場合、「又は」という用語は、その内容に別段の明確な指示がない限り、典型的に、「及び／又は」を含む意味で用いられる。
【００１３】
本明細書及び特許請求の範囲に用いられる用語「親フィルム（parent film）」は、任意のウェブベース物品を指す。親フィルムは、共押出しされてもよく、２つ以上の別個の層の積層、又は共押出と積層の組合せにより生産されてもよい。親フィルムは、より小さな１又は複数のフィルム部分（ウェブベース物品）に細分化できることを特徴とする。親フィルムの例としては、非限定的に、窓用フィルム、不織布繊維ウェブ、テープ、多層複合フィルムなどが挙げられる。
【００１４】
本明細書及び特許請求の範囲に用いられる用語「識別記号」は、スキャニング装置を用いて読み取ることができる任意のコード又は一連のコードを指す。
【００１５】
本明細書及び特許請求の範囲に用いられる用語「子フィルム（child film）」は、より小さな少なくとも１つの部分に細分化された親フィルムの一部分を指す。親フィルムから一旦分離すると、各子フィルムが親フィルムになることができ、各子フィルムは、他の子フィルムに後で細分化することができる。
【図面の簡単な説明】
【００１６】
【図１】バルク長尺ロール（１００、例えば、１００フィート長ロール）を短尺ロール（１０２、例えば、５０フィート長ロール）にどのように分割できるかを描写する図である。
【図２】広幅ロール（２００、例えば、６０インチ幅ロール）を２つの細幅ロール（２０２、例えば、２つの３０インチ幅ロール）にどのように分割できるかを描写する図である。
【図３】本明細書に記述されるシステムに用いることができるコード及びラベルの例を示す図である。
【図４】６０インチ幅バルクフィルムロールのセクションを例示する図であり、一意的な識別記号の配列を示している。
【００１７】
図中の要素のリスト
１００−長尺ロール
１０２−短尺ロール
２００−広幅ロール
２０２−細幅ロール
【発明を実施するための形態】
【００１８】
一実施形態では、本開示は、親フィルムであって、
■  １又は複数の層と、
■  複数の識別記号と、
を備え、
親フィルムは幅及び長さを有し、
複数の識別記号の各々が互いに異なっており、
識別記号は、親フィルムの幅全体及び親フィルムの長さ全体にわたって親フィルムに配置されており、
親フィルムは、親フィルムよりも小さな表面積を各々に有する１又は複数の子フィルムに細分化することができる、親フィルムを対象とする。
【００１９】
特定の実施形態では、親フィルムの各識別記号が、識別記号を含む子フィルムを一意的に識別できる、データベースに記憶された情報に関連付けられている。他の実施形態では、データベースに記憶された情報は、親フィルムの製造日、親フィルムの製造場所、親フィルムのロット番号、親フィルムの包装及び輸送情報（親フィルムを含むロールのコア、親フィルムが輸送された包装箱、及び親フィルムが輸送されたパレットを識別する情報を含む）、請求情報、並びにそれらの組合せから選ばれた情報を含む。いくつかの実施形態では、親フィルム上の識別記号の少なくとも１つが、フィルムロールのコア、箱、及びパレット上の識別記号と親子関係にある。
【００２０】
特定の実施形態では、識別記号の各々が、１Ｄデータマトリックスコード及び２Ｄデータマトリックスコードから選ばれる。他の実施形態では、識別記号の各々が、長方形又は正方形のデータマトリックスコードである。
【００２１】
別の実施形態では、本開示は、追跡システムであって、追跡システムは、
■  親フィルムであり、
○  １又は複数の層と、
○  複数の識別記号と、
を備え、
親フィルムは幅及び長さを有し、
複数の識別記号の各々が互いに異なっており、
識別記号は、親フィルムの幅全体及び親フィルムの長さ全体にわたって親フィルムに配置されており、
親フィルムは、親フィルムよりも小さな表面積を各々に有する１又は複数の子フィルムに細分化することができる、親フィルムと、
■  複数の識別記号の各々に関する記憶された情報を備えるデータベースであり、
各識別記号の記憶された情報は、識別記号が配置された各子フィルムを一意的に識別するのに十分であり、
各識別記号の記憶された情報は、各子フィルムを親フィルムに関連付けるのに十分である、データベースと、
を備える追跡システムを対象とする。
【００２２】
また他の実施形態では、本開示は、フィルムを認証するための方法であって、方法は、
■  親フィルムを用意することであり、
■  親フィルムは、
○  １又は複数の層と、
○  複数の識別記号と、
を備え、
親フィルムは幅及び長さを有し、
複数の識別記号の各々が互いに異なっており、
識別記号は、親フィルムの幅全体及び親フィルムの長さ全体にわたって親フィルムに配置されており、
親フィルムは、親フィルムよりも小さな表面積を各々に有する１又は複数の子フィルムに細分化されており、
子フィルムは、少なくとも１つの識別記号を有する、ことと、
■  データベースを用意することであり、
■  データベースは、複数の認証識別記号に関する記憶された情報を備え、
各識別記号の記憶された情報は、識別記号が配置された子フィルムを一意的に識別するのに十分であり、
各識別記号の記憶された情報は、子フィルムを子フィルムの親フィルムに関連付けるのに十分である、ことと、
■  子フィルム上の１又は複数の識別記号が認証識別記号であることを確認する（verify）ことと
を含む方法を対象とする。
【００２３】
特定の実施形態では、親フィルムをいくつかの子フィルムに分割することができる。例えば、典型的な２０００ヤードの特大品を主な製造場所において１００フィートロールに変換することができる。バルクロールを「ジャンボロール」と呼ぶこともある。流通業者が、それらの１００フィートロールの各々を、販売業者への販売のために２つの５０フィートロールに更に切断することができる。例えば図１を参照。
【００２４】
窓用フィルムなどのウェブベース物品の典型的な幅は、７２インチ及び６０インチである。６０インチ幅の同ロールは、主な製造場所又は流通業者において２つの３０インチ幅ロールに変換することもできる。例えば図２を参照。
【００２５】
場合によっては、流通業者は、６０インチ幅の１００フィート長ロールを３０インチ幅の５０フィートロールに変換することができる。最終消費者に送付するまでの間に流通経路においてロールが縮小され得る、多くの幅と長さの組合せが可能である。
【００２６】
識別記号は、バルクロールのスリッティング及び分割の後、その結果生じる全てのロールセクションが少なくとも１つの一意的な識別記号を含むように配置される。識別記号は、機械方向に沿って１又は複数の列で親フィルムに印刷することができる。一実施形態では、識別記号は、バルクロールの機械軸線の方向に３つの列で印刷されている。別の実施形態では、識別記号は、約０．２５×０．５０インチの寸法である。他の実施形態では、識別記号は、例えば、５４インチ間隔、３６インチ間隔、２０インチ間隔、又は１２インチ間隔などの一定の間隔で、それぞれの列に印刷されている。いくつかの実施形態では、識別記号は、１０〜３０インチの範囲の間隔、２０〜４０インチの範囲の間隔、又は４０〜６０インチの範囲の間隔により印刷されている。
【００２７】
典型的な実施形態では、パレット積荷札上の識別記号は、パレット上の箱のラベル上の各識別記号にリンクされ、箱ラベル上の各識別記号も、パレット札上の識別記号にリンクされている。さらに、フィルムの各ロール上の識別記号は、コア、箱、及びパレットのそれぞれの上の識別記号にリンクされている。
【００２８】
典型的な自動車は、窓用フィルムが適用される３つから９つの窓を有する。販売業者は、典型的に、取り付け中に、窓に適合する適当な形状にフィルムのロールを切る。親フィルム上の識別記号は、少なくとも１つのコードが自動車毎に関連付けられることを確実にするように間隔をあけられる。しかし、少なくとも１つのコードが切った部分毎に存在し得るために十分なコードがウェブ上にあることを確実にするようにコードの密集度を高めることが可能である。
【００２９】
図３に示されるように、工場の生産現場から流通センターまで、流通センターからフィルム取り付け者まで、及び取り付け者から購入者までの、製造及び流通の過程の全ての段階で、スキャンできる階層システムが作られる。
【００３０】
階層中の任意の２つの要素をスキャンすることによって、齟齬を特定することができる。例えば、フィルムロールの剥離ライナー上の記号とフィルムロールに使用されるコア上の記号とがスキャンされ、不適切なつながりが見つかった場合、このことは、棄却された（又は複写された）剥離ライナー及びコアを用いて製品を偽造する試みなどの問題を示している。
【００３１】
識別記号がリンクされるので、他の疑問に対処することができる。例えば、２つの箱上の識別記号を、同じパレット積荷の部分であるかどうかを確認するためにスキャンすることができる。識別記号により提供される情報と輸送データ及びスキャニング装置の場所とを組み合わせることによって、製品が意図した宛先外に横流しされたかどうかを判定し、よって起こり得る「グレイマーケット」販売に警告を発することができる。
【００３２】
識別記号をスキャンするために、スマートフォン又はテーブルなどのモバイル装置のアプリケーションを使用することができる。識別記号から追加情報を得るために、権限保持者はプログラムにより特定されたアプリケーション又はウェブサイトにサインインすることができる。この情報としては、
１．  製品認証
２．  部品番号及び部品明細を含む製品識別
３．  製造注文番号、バッチ番号及び要員などの製造運行（run）情報。
４．  製造場所
５．  製造日
６．  識別記号がスキャンされた全ての場所及び日付を示すトレース履歴
７．  ロール上の識別記号の場所
８．  意図する受領者の名称及び場所を含む顧客注文情報
９．  関連する全ての親又は子の記号、を挙げることができる。
【００３３】
いくつかの実施形態では、システムは、追加データへの正当なアクセスを様々なグループに分析・割当て可能なように準備される。例えば、ビジネスアナリストが、全てのデータへの完全なアクセスを有することができるが、販売業者が、製品の名称、製品の認証、及びロールに残されたフィルムの量のみを確認することができる。追加アクセス権を持たない顧客は、製品の名称及び認証のみ確認することができるが、加えて製品ウェブサイトへ導かれる。このコンセプトでは、政府機関に認証を提供するために、又は迅速かつ効果的な執行に関与し、執行を支援するために、第三者にデータへのアクセスを与えることができる。
【００３４】
識別記号に関する確立されたビジネスルールに基づいて報告書を作成することができる。それらの報告書は、次のような情報を提供することができる。
１．  単一の識別記号が予め設定した回数よりも多くスキャンされ、したがって、記号が複製されたかもしれないことを示すことの通知。
２．  単一の識別記号が意図された顧客の所在地とは異なる場所でスキャンされたとの通知。
３．  単一の識別記号が２つ以上の国でスキャンされたとの通知。
４．  最終製品が行き着いた場所を示す販売時点データ。
５．  各場所でのロールの数を示す供給網データ。
６．  輸送、顧客注文、製造運行、その他の総計に対する全ての親及び子の記号の階層的リスト。
【００３５】
加えて、識別記号に記憶された情報は、電子保証システムなどの他のシステムにつなげるために使用することができる。
【００３６】
例示的な実施形態
特定の実施形態では、自動車、建築、日射制御、及び安全の用途で用いる窓に取り付けるように設計されたフィルム製品には、製造過程中にフィルム上面又はフィルムの裏側の剥離ライナー面のいずれか（又は両方）に、連続インクジェット（continuous inkjet、ＣＩＪ）法、ピエゾインクジェット（piezo inkjet、ＰＩＪ）法、熱転写オーバーレイ（thermal transfer overlay、ＴＴＯ）法、又はサーマルインクジェット（thermal inkjet、ＴＩＪ）法により一意的な識別記号が印刷されている。
【００３７】
一実施形態では、２Ｄデータマトリックスコードを含む識別記号が、ポリエチレンテレフタレート（polyethylene terephthalate、ＰＥＴ）フィルムウェブなどのウェブ層を被覆する感圧性接着剤（pressure−sensitive adhesive、ＰＳＡ）の層に印刷されている。他の実施形態では、印刷されたＰＳＡ層の上に剥離ライナーが適用されている。識別記号は、剥離ライナーを通してスキャンすることができる。
【００３８】
特定の実施形態では、識別記号の例が、所望の情報を含むのに十分なマトリックス構成を有する正方形又は長方形の構成の２Ｄデータマトリックスコードの形で作られている。具体化されたマトリックスサイズとしては、６×１６、１６×１６、９×９、１６×２４、２４×２４のマトリックスが挙げられる。
【００３９】
長方形の２Ｄデータマトリックスコードをロゴタイプデザイン、又はロゴに組み込む、他の識別記号を設計及び印刷することができる。他の実施形態では、商標又はロゴを長方形（又は正方形）の２Ｄデータマトリックスコードの内部に配置できるような識別記号を設計することができる。代わりに、商標又はロゴをデータマトリックスコードの隣に配置してもよい。
【実施例】
【００４０】
長さ凡そ２０００ヤード、幅６０インチの自動車窓用フィルム製品のバルクロールの剥離ライナーに、製造過程中に一意的な識別記号を印刷した。インクジェットプリンタ（Ｌｉｎｘ  ７９００）を用いて剥離ライナーを印刷し、一意的な識別記号を長方形の２次元（２Ｄ）データマトリックスコードの形とした。
【００４１】
図４を参照すると、バルクロールの機械軸線の方向に一意的な識別記号を３列で印刷した。図４では、各「×」が一意的な識別記号を表している。一意的な識別記号の中央列をロールの中心の右３インチに印刷し、２つの外側列を各々ロールの中心から１７インチだけずらした。一意的な識別記号を約０．２５×０．５０インチの寸法とし、それぞれの列に５４インチ間隔で印刷した。中央列の一意的な識別記号を左列の識別記号から機械方向に１８インチずらし、右列の識別記号を中央列の識別記号から１８インチずらして、千鳥配列の繰返しパターンを形成した。図４の水平軸線はインチ表示である。垂直軸線は、バルクロールの機械軸線を表しており、縮尺に従っていない。
【００４２】
製造後、バルクフィルムロールを長さ１００フィート、幅６０インチのセクションに分割した。フィルムロールの各セクションが、剥離ライナーに印刷された約６７個の一意的な識別記号を有していた。それらのフィルムロールセクションを、一意的な識別記号が付いたコアに巻き付けた。フィルムを巻き付けたそれらのコアを、やはり一意的な識別記号が付いた箱に個々に包装した。最後に、３６個の箱詰めされたロールを、一意的な識別記号が付いたパレット積荷札を有するパレットに載せた。ライナー、コア、箱、及びパレット札上の識別記号を正常にスキャンした。
【００４３】
パレット積荷札上の識別記号をパレット上の３６個の箱のラベル上の各識別記号にリンクした。箱ラベル上の各識別記号もパレット札上の識別記号にリンクした。フィルムの各ロールは、コア、箱、及びパレットのそれぞれの上の識別記号にリンクされた約６７個の識別記号を有していた。
【００４４】
識別記号がハンドヘルド式電子装置によりを正常にスキャンされ、装置を内部ウェブサイトに接続させる能力について、識別記号を評価した。Ｍｏｔｏｒｏｌａ、Ｈｏｎｅｙｗｅｌｌ、Ｃｏｇｎｅｘ、及びＭｉｃｒｏｓｃａｎ製のハンドヘルド式スキャナを含む各種のカメラ装置を用いて、印刷した識別記号を正常にスキャンした。Ｃｏｇｎｅｘから入手可能なオンラインスキャナなどのオンラインスキャナも、印刷した識別記号をスキャンするために正常に使用された。Ｓａｍｓｕｎｇ、Ａｐｐｌｅ、Ｍｏｔｏｒｏｌａ、ＨＴＣ、ＬＧ、Ｂｌａｃｋｂｅｒｒｙ、Ｎｏｋｉａ、Ｈｕａｗｅｉ、及びＸｉａｏｍｉ製など大部分のメジャーなブランド品の「スマートフォン」を含むモバイル装置によって、印刷した識別記号を正常にスキャンした。Ａｐｐｌｅ  ｉＰａｄ４タブレットコンピュータ及びＴｏｓｈｉｂａ  Ｔｈｒｉｖｅ（Ａｎｄｒｏｉｄ）タブレットコンピュータによって、印刷した識別記号を正常にスキャンした。
【００４５】
例示的な実施形態
１．
■  １又は複数の層と、
■  複数の識別記号と、
を備える親フィルムであって、
親フィルムは幅及び長さを有し、
複数の識別記号の各々が互いに異なっており、
識別記号は、親フィルムの幅全体及び親フィルムの長さ全体にわたって親フィルムに配置されており、
親フィルムは、親フィルムよりも小さな表面積を各々に有する１又は複数の子フィルムに細分化することができる、親フィルム。
【００４６】
２．  親フィルムを対象とする前述した実施形態のいずれか１つに記載の親フィルムであって、親フィルムは、細分化されて第１の子フィルムをもたらし、子フィルムは、１又は複数の子フィルムに続けて細分化できる第２の親フィルムになる、親フィルム。
【００４７】
３．  親フィルムを対象とする前述した実施形態のいずれか１つに記載の親フィルムであって、親フィルムの各識別記号が、識別記号を含む子フィルムを一意的に識別できる、データベースに記憶された情報に関連付けられている、親フィルム。
【００４８】
４．  親フィルムを対象とする前述した実施形態のいずれか１つに記載の親フィルムであって、親フィルムの各識別記号が、識別記号を含む子フィルムを一意的に識別できる、データベースに記憶された情報に関連付けられており、データベースに記憶された情報は、親フィルムの製造日、親フィルムの製造場所、親フィルムのロット番号、親フィルムの包装及び輸送情報（親フィルムを含むロールのコア、親フィルムが輸送された包装箱、及び親フィルムが輸送されたパレットを識別する情報を含む）、請求情報、並びにそれらの組合せから選ばれた情報を含む、親フィルム。
【００４９】
５．  親フィルムを対象とする前述した実施形態のいずれか１つに記載の親フィルムであって、親フィルム上の識別記号の少なくとも１つが、フィルムロールのコア、箱、及びパレット上の識別記号と親子関係にある、親フィルム。
【００５０】
６．  親フィルムを対象とする前述した実施形態のいずれか１つに記載の親フィルムであって、識別記号の各々がマトリックスデータコードである、親フィルム。
【００５１】
７．  親フィルムを対象とする前述した実施形態のいずれか１つに記載の親フィルムであって、識別記号の各々が、１Ｄデータマトリックスコード及び２Ｄデータマトリックスコードから選ばれる、親フィルム。
【００５２】
８．  親フィルムを対象とする前述した実施形態のいずれか１つに記載の親フィルムであって、識別記号の各々が長方形のデータマトリックスコードである、親フィルム。
【００５３】
９．  親フィルムを対象とする前述した実施形態のいずれか１つに記載の親フィルムであって、識別記号の各々が正方形のデータマトリックスコードである、親フィルム。
【００５４】
１０．  親フィルムを対象とする前述した実施形態のいずれか１つに記載の親フィルムであって、識別記号の各々がマトリックスデータコードであり、マトリックスデータコードは非情報性の記号を含む、親フィルム。
【００５５】
１１．  親フィルムを対象とする前述した実施形態のいずれか１つに記載の親フィルムであって、識別記号は、グラフィック画像に含まれる２Ｄデータマトリックスコードである、親フィルム。
【００５６】
１２．  親フィルムを対象とする前述した実施形態のいずれか１つに記載の親フィルムであって、識別記号は、ロゴ又は商標に組み込まれている、親フィルム。
【００５７】
１３．  親フィルムを対象とする前述した実施形態のいずれか１つに記載の親フィルムであって、フィルムが窓用フィルムである、親フィルム。
【００５８】
１４．  親フィルムを対象とする前述した実施形態のいずれか１つに記載の親フィルムであって、フィルムが不織布繊維ウェブである、親フィルム。
【００５９】
１５．  親フィルムを対象とする前述した実施形態のいずれか１つに記載の親フィルムであって、フィルムがテープである、親フィルム。
【００６０】
１６．  親フィルムを対象とする前述した実施形態のいずれか１つに記載の親フィルムであって、フィルムが多層複合フィルムである、親フィルム。
【００６１】
１７．  親フィルムを対象とする前述した実施形態のいずれか１つに記載の親フィルムであって、フィルムがライナーを備える、親フィルム。
【００６２】
１８．  親フィルムを対象とする前述した実施形態のいずれか１つに記載の親フィルムであって、フィルムはライナーを備え、複数の識別記号は、ライナーの外側面に印刷されている、親フィルム。
【００６３】
１９．  親フィルムを対象とする前述した実施形態のいずれか１つに記載の親フィルムであって、フィルムはライナーを備え、複数の識別記号は、ライナーの内側面に印刷されている、親フィルム。
【００６４】
２０．  親フィルムを対象とする前述した実施形態のいずれか１つに記載の親フィルムであって、フィルムはライナーを備え、複数の識別記号は、ライナーとは反対側の最も外側の層に印刷されている、親フィルム。
【００６５】
２１．  親フィルムを対象とする前述した実施形態のいずれか１つに記載の親フィルムであって、複数の識別記号は、フィルムの内面になる、層の表面に印刷されている（つまり、印刷面は露出面ではない）、親フィルム。
【００６６】
２２．  親フィルムを対象とする前述した実施形態のいずれか１つに記載の親フィルムであって、フィルムはライナーを備え、複数の識別記号は、ライナーとは反対側の最も外側の層に印刷されており、ライナーは除去可能である、親フィルム。
【００６７】
２３．  親フィルムを対象とする前述した実施形態のいずれか１つに記載の親フィルムであって、識別記号は除去可能である、親フィルム。
【００６８】
２４．  親フィルムを対象とする前述した実施形態のいずれか１つに記載の親フィルムであって、識別記号は、石けん液又は有機溶剤の使用により除去可能である、親フィルム。
【００６９】
２５．  親フィルムを対象とする前述した実施形態のいずれか１つに記載の親フィルムであって、識別記号は、フィルムに恒久的に付いており、物品を改変しなければ除去することができない、親フィルム。
【００７０】
２６．  親フィルムを対象とする前述した実施形態のいずれか１つに記載の親フィルムであって、親フィルムは、既知の寸法の子フィルムを作るために親フィルムの製造場所で細分化されている、親フィルム。
【００７１】
２７．  親フィルムを対象とする前述した実施形態のいずれか１つに記載の親フィルムであって、親フィルムは、既知の寸法の子フィルムを作るために流通業者の所在地で細分化されている、親フィルム。
【００７２】
２８．  親フィルムを対象とする前述した実施形態のいずれか１つに記載の親フィルムであって、親フィルムは、既知の寸法の子フィルムを作るために顧客の所在地で細分化されている、親フィルム。
【００７３】
２９．  親フィルムを対象とする前述した実施形態のいずれか１つに記載の親フィルムであって、識別記号は、接着剤層に印刷されており、接着剤層は、フィルムを基材に接着する、親フィルム。
【００７４】
３０．  親フィルムを対象とする前述した実施形態のいずれか１つに記載の親フィルムであって、識別記号は、連続インクジェット印刷により印刷されている、親フィルム。
【００７５】
３１．  親フィルムを対象とする前述した実施形態のいずれか１つに記載の親フィルムであって、識別記号は、ピエゾインクジェット印刷により印刷されている、親フィルム。
【００７６】
３２．  親フィルムを対象とする前述した実施形態のいずれか１つに記載の親フィルムであって、識別記号は、熱転写印刷により印刷されている、親フィルム。
【００７７】
３３．  親フィルムを対象とする前述した実施形態のいずれか１つに記載の親フィルムであって、識別記号は、サーマルインクジェット印刷により印刷されている、親フィルム。
【００７８】
３４．  親フィルムを対象とする前述した実施形態のいずれか１つに記載の親フィルムであって、識別記号は、据え置き型のインラインスキャニング装置でスキャンすることができる、親フィルム。
【００７９】
３５．  親フィルムを対象とする前述した実施形態のいずれか１つに記載の親フィルムであって、識別記号は、ハンドヘルド式スキャニング装置でスキャンすることができる、親フィルム。
【００８０】
３６．  親フィルムを対象とする前述した実施形態のいずれか１つに記載の親フィルムであって、識別記号は、カメラを有するモバイル装置でスキャンすることができる、親フィルム。
【００８１】
３７．  親フィルムを対象とする前述した実施形態のいずれか１つに記載の親フィルムであって、識別記号は、カメラを有するモバイル装置でスキャンすることができ、モバイル装置は、携帯電話及びタブレットから選ばれる、親フィルム。
【００８２】
３８．  追跡システムであって、追跡システムは、
■親フィルムであって、
○  １又は複数の層と、
○  複数の識別記号と、
を備え、
親フィルムは幅及び長さを有し、
複数の識別記号の各々が互いに異なっており、
識別記号は、親フィルムの幅全体及び親フィルムの長さ全体にわたって親フィルムに配置されており、
親フィルムは、親フィルムよりも小さな表面積を各々に有する１又は複数の子フィルムに細分化することができる、親フィルムと、
■  複数の識別記号の各々に関する記憶された情報を備えるデータベースであって、
各識別記号の記憶された情報は、識別記号が配置された各子フィルムを一意的に識別するのに十分であり、
各識別記号の記憶された情報は、各子フィルムを親フィルムに関連付けるのに十分である、データベースと、
を備える追跡システム。
【００８３】
３９．  追跡システムを対象とする前述した実施形態のいずれか１つに記載の追跡システムであって、親フィルムは、細分化されて第１の子フィルムをもたらし、子フィルムは、１又は複数の子フィルムに続けて細分化できる第２の親フィルムになる、追跡システム。
【００８４】
４０．  追跡システムを対象とする前述した実施形態のいずれか１つに記載の追跡システムであって、親フィルムの各識別記号が、識別記号を含む子フィルムを一意的に識別できる、データベースに記憶された情報に関連付けられている、追跡システム。
【００８５】
４１．  追跡システムを対象とする前述した実施形態のいずれか１つに記載の追跡システムであって、親フィルムの各識別記号が、識別記号を含む子フィルムを一意的に識別できる、データベースに記憶された情報に関連付けられており、データベースに記憶された情報は、親フィルムの製造日、親フィルムの製造場所、親フィルムのロット番号、親フィルムの包装及び輸送情報（フィルムを含むロールのコア、親フィルムが輸送された包装箱、及び親フィルムが輸送されたパレットを識別する情報を含む）、請求情報、並びにそれらの組合せから選ばれた情報を含む、追跡システム。
【００８６】
４２．  追跡システムを対象とする前述した実施形態のいずれか１つに記載の追跡システムであって、親フィルム上の識別記号の少なくとも１つが、フィルムロールのコア、箱、及びパレット上の識別記号と親子関係にある、追跡システム。
【００８７】
４３．  追跡システムを対象とする前述した実施形態のいずれか１つに記載の追跡システムであって、識別記号の各々がマトリックスデータコードである、追跡システム。
【００８８】
４４．  追跡システムを対象とする前述した実施形態のいずれか１つに記載の追跡システムであって、識別記号の各々が、１Ｄデータマトリックスコード及び２Ｄデータマトリックスコードから選ばれる、追跡システム。
【００８９】
４５．  追跡システムを対象とする前述した実施形態のいずれか１つに記載の追跡システムであって、識別記号の各々が長方形のデータマトリックスコードである、追跡システム。
【００９０】
４６．  追跡システムを対象とする前述した実施形態のいずれか１つに記載の追跡システムであって、識別記号の各々が正方形のデータマトリックスコードである、追跡システム。
【００９１】
４７．  追跡システムを対象とする前述した実施形態のいずれか１つに記載の追跡システムであって、識別記号の各々がマトリックスデータコードであり、マトリックスデータコードは非情報性の記号を含む、追跡システム。
【００９２】
４８．  追跡システムを対象とする前述した実施形態のいずれか１つに記載の追跡システムであって、識別記号は、グラフィック画像に含まれる２Ｄデータマトリックスコードである、追跡システム。
【００９３】
４９．  追跡システムを対象とする前述した実施形態のいずれか１つに記載の追跡システムであって、識別記号は、ロゴ又は商標に組み込まれている、追跡システム。
【００９４】
５０．  追跡システムを対象とする前述した実施形態のいずれか１つに記載の追跡システムであって、フィルムが窓用フィルムである、追跡システム。
【００９５】
５１．  追跡システムを対象とする前述した実施形態のいずれか１つに記載の追跡システムであって、フィルムが不織布繊維ウェブである、追跡システム。
【００９６】
５２．  追跡システムを対象とする前述した実施形態のいずれか１つに記載の追跡システムであって、フィルムがテープである、追跡システム。
【００９７】
５３．  追跡システムを対象とする前述した実施形態のいずれか１つに記載の追跡システムであって、フィルムが多層複合フィルムである、追跡システム。
【００９８】
５４．  追跡システムを対象とする前述した実施形態のいずれか１つに記載の追跡システムであって、フィルムがライナーを備える、追跡システム。
【００９９】
５５．  追跡システムを対象とする前述した実施形態のいずれか１つに記載の追跡システムであって、フィルムがライナーを備え、複数の識別記号は、ライナーの外側面に印刷されている、追跡システム。
【０１００】
５６．  追跡システムを対象とする前述した実施形態のいずれか１つに記載の追跡システムであって、フィルムがライナーを備え、複数の識別記号は、ライナーの内側面に印刷されている、追跡システム。
【０１０１】
５７．  追跡システムを対象とする前述した実施形態のいずれか１つに記載の追跡システムであって、フィルムがライナーを備え、複数の識別記号は、ライナーとは反対側の最も外側の層に印刷されている、追跡システム。
【０１０２】
５８．  追跡システムを対象とする前述した実施形態のいずれか１つに記載の追跡システムであって、複数の識別記号は、フィルムの内面になる、層の表面に印刷されている（つまり、印刷面は露出面ではない）、追跡システム。
【０１０３】
５９．  追跡システムを対象とする前述した実施形態のいずれか１つに記載の追跡システムであって、フィルムがライナーを備え、複数の識別記号は、ライナーとは反対側の最も外側の層に印刷されており、ライナーは除去可能である、追跡システム。
【０１０４】
６０．  追跡システムを対象とする前述した実施形態のいずれか１つに記載の追跡システムであって、識別記号は除去可能である、追跡システム。
【０１０５】
６１．  追跡システムを対象とする前述した実施形態のいずれか１つに記載の追跡システムであって、識別記号は、石けん液又は有機溶剤の使用により除去可能である、追跡システム。
【０１０６】
６２．  追跡システムを対象とする前述した実施形態のいずれか１つに記載の追跡システムであって、識別記号は、フィルムに恒久的に付いており、物品を改変しなければ除去することができない、追跡システム。
【０１０７】
６３．  追跡システムを対象とする前述した実施形態のいずれか１つに記載の追跡システムであって、親フィルムは、既知の寸法の子フィルムを作るために親フィルムの製造場所で細分化されている、追跡システム。
【０１０８】
６４．  追跡システムを対象とする前述した実施形態のいずれか１つに記載の追跡システムであって、親フィルムは、既知の寸法の子フィルムを作るために流通業者の所在地で細分化されている、追跡システム。
【０１０９】
６５．  追跡システムを対象とする前述した実施形態のいずれか１つに記載の追跡システムであって、親フィルムは、既知の寸法の子フィルムを作るために顧客の所在地で細分化されている、追跡システム。
【０１１０】
６６．  追跡システムを対象とする前述した実施形態のいずれか１つに記載の追跡システムであって、識別記号は、接着剤層に印刷されており、接着剤層は、フィルムを基材に接着する、追跡システム。
【０１１１】
６７．  追跡システムを対象とする前述した実施形態のいずれか１つに記載の追跡システムであって、識別記号は、連続インクジェット印刷により印刷されている、追跡システム。
【０１１２】
６８．  追跡システムを対象とする前述した実施形態のいずれか１つに記載の追跡システムであって、識別記号は、ピエゾインクジェット印刷により印刷されている、追跡システム。
【０１１３】
６９．  追跡システムを対象とする前述した実施形態のいずれか１つに記載の追跡システムであって、識別記号は、熱転写印刷により印刷されている、追跡システム。
【０１１４】
７０．  追跡システムを対象とする前述した実施形態のいずれか１つに記載の追跡システムであって、識別記号は、サーマルインクジェット印刷により印刷されている、追跡システム。
【０１１５】
７１．  追跡システムを対象とする前述した実施形態のいずれか１つに記載の追跡システムであって、識別記号は、据え置き型のインラインスキャニング装置でスキャンすることができる、追跡システム。
【０１１６】
７２．  追跡システムを対象とする前述した実施形態のいずれか１つに記載の追跡システムであって、識別記号は、ハンドヘルド式スキャニング装置でスキャンすることができる、追跡システム。
【０１１７】
７３．  追跡システムを対象とする前述した実施形態のいずれか１つに記載の追跡システムであって、識別記号は、カメラを有するモバイル装置でスキャンすることができる、追跡システム。
【０１１８】
７４．  追跡システムを対象とする前述した実施形態のいずれか１つに記載の追跡システムであって、識別記号は、カメラを有するモバイル装置でスキャンすることができ、モバイル装置は、携帯電話及びタブレットから選ばれる、追跡システム。
【０１１９】
７５．  フィルムを認証するための方法であって、方法は、
■  親フィルムを用意することであって、
■  親フィルムは、
○  １又は複数の層と、
○  複数の識別記号と、
を備え、
親フィルムは幅及び長さを有し、
複数の識別記号の各々が互いに異なっており、
識別記号は、親フィルムの幅全体及び親フィルムの長さ全体にわたって親フィルムに配置されており、
親フィルムは、親フィルムよりも小さな表面積を各々に有する１又は複数の子フィルムに細分化されており、
子フィルムは、少なくとも１つの識別記号を有する、ことと、
■  データベースを用意することであって、
■  データベースは、複数の認証識別記号に関する記憶された情報を備え、
各識別記号の記憶された情報は、識別記号が配置された子フィルムを一意的に識別するのに十分であり、
各識別記号の記憶された情報は、子フィルムを子フィルムの親フィルムに関連付けるのに十分である、ことと、
■  子フィルム上の１又は複数の識別記号が認証識別記号であることを確認することと
を含む方法。
【０１２０】
７６．  方法を対象とする前述した実施形態のいずれか１つに記載の方法であって、親フィルムは、細分化されて第１の子フィルムをもたらし、子フィルムは、１又は複数の子フィルムに続けて細分化できる第２の親フィルムになる、方法。
【０１２１】
７７．  方法を対象とする前述した実施形態のいずれか１つに記載の方法であって、親フィルムの各識別記号が、識別記号を含む子フィルムを一意的に識別できる、データベースに記憶された情報に関連付けられている、方法。
【０１２２】
７８．  方法を対象とする前述した実施形態のいずれか１つに記載の方法であって、親フィルムの各識別記号が、識別記号を含む子フィルムを一意的に識別できる、データベースに記憶された情報に関連付けられており、データベースに記憶された情報は、親フィルムの製造日、親フィルムの製造場所、親フィルムのロット番号、親フィルムの包装及び輸送情報（フィルムを含むロールのコア、親フィルムが輸送された包装箱、及び親フィルムが輸送されたパレットを識別する情報を含む）、請求情報、並びにそれらの組合せから選ばれた情報を含む、方法。
【０１２３】
７９．  方法を対象とする前述した実施形態のいずれか１つに記載の方法であって、親フィルム上の識別記号の少なくとも１つが、フィルムロールのコア、箱、及びパレット上の識別記号と親子関係にある、方法。
【０１２４】
８０．  方法を対象とする前述した実施形態のいずれか１つに記載の方法であって、識別記号の各々がマトリックスデータコードである、方法。
【０１２５】
８１．  方法を対象とする前述した実施形態のいずれか１つに記載の方法であって、識別記号の各々が、１Ｄデータマトリックスコード及び２Ｄデータマトリックスコードから選ばれる、方法。
【０１２６】
８２．  方法を対象とする前述した実施形態のいずれか１つに記載の方法であって、識別記号の各々が長方形のデータマトリックスコードである、方法。
【０１２７】
８３．  方法を対象とする前述した実施形態のいずれか１つに記載の方法であって、識別記号の各々が正方形のデータマトリックスコードである、方法。
【０１２８】
８４．  方法を対象とする前述した実施形態のいずれか１つに記載の方法であって、識別記号の各々がマトリックスデータコードであり、マトリックスデータコードは非情報性の記号を含む、方法。
【０１２９】
８５．  方法を対象とする前述した実施形態のいずれか１つに記載の方法であって、識別記号は、グラフィック画像に含まれる２Ｄデータマトリックスコードである、方法。
【０１３０】
８６．  方法を対象とする前述した実施形態のいずれか１つに記載の方法であって、識別記号は、ロゴ又は商標に組み込まれている、方法。
【０１３１】
８７．  方法を対象とする前述した実施形態のいずれか１つに記載の方法であって、フィルムが窓用フィルムである、方法。
【０１３２】
８８．  方法を対象とする前述した実施形態のいずれか１つに記載の方法であって、フィルムが不織布繊維ウェブである、方法。
【０１３３】
８９．  方法を対象とする前述した実施形態のいずれか１つに記載の方法であって、フィルムがテープである、方法。
【０１３４】
９０．  方法を対象とする前述した実施形態のいずれか１つに記載の方法であって、フィルムが多層複合フィルムである、方法。
【０１３５】
９１．  方法を対象とする前述した実施形態のいずれか１つに記載の方法であって、フィルムがライナーを備える、方法。
【０１３６】
９２．  方法を対象とする前述した実施形態のいずれか１つに記載の方法であって、フィルムがライナーを備え、複数の識別記号は、ライナーの外側面に印刷されている、方法。
【０１３７】
９３．  方法を対象とする前述した実施形態のいずれか１つに記載の方法であって、フィルムがライナーを備え、複数の識別記号は、ライナーの内側面に印刷されている、方法。
【０１３８】
９４．  方法を対象とする前述した実施形態のいずれか１つに記載の方法であって、フィルムがライナーを備え、複数の識別記号は、ライナーとは反対側の最も外側の層に印刷されている、方法。
【０１３９】
９５．  方法を対象とする前述した実施形態のいずれか１つに記載の方法であって、フィルムがライナーを備え、複数の識別記号は、フィルムの内面になる、層の表面に印刷されている（つまり、印刷面は露出面ではない）、方法。
【０１４０】
９６．  方法を対象とする前述した実施形態のいずれか１つに記載の方法であって、フィルムがライナーを備え、複数の識別記号は、ライナーとは反対側の最も外側の層に印刷されており、ライナーは除去可能である、方法。
【０１４１】
９７．  方法を対象とする前述した実施形態のいずれか１つに記載の方法であって、識別記号は除去可能である、方法。
【０１４２】
９８．  方法を対象とする前述した実施形態のいずれか１つに記載の方法であって、識別記号は、石けん液又は有機溶剤の使用により除去可能である、方法。
【０１４３】
９９．  方法を対象とする前述した実施形態のいずれか１つに記載の方法であって、識別記号は、フィルムに恒久的に付いており、物品を改変しなければ除去することができない、方法。
【０１４４】
１００．  方法を対象とする前述した実施形態のいずれか１つに記載の方法であって、親フィルムは、既知の寸法の子フィルムを作るために親フィルムの製造場所で細分化されている、方法。
【０１４５】
１０１．  方法を対象とする前述した実施形態のいずれか１つに記載の方法であって、親フィルムは、既知の寸法の子フィルムを作るために流通業者の所在地で細分化されている、方法。
【０１４６】
１０２．  方法を対象とする前述した実施形態のいずれか１つに記載の方法であって、親フィルムは、既知の寸法の子フィルムを作るために顧客の所在地で細分化されている、方法。
【０１４７】
１０３．  方法を対象とする前述した実施形態のいずれか１つに記載の方法であって、識別記号は、接着剤層に印刷されており、接着剤層は、フィルムを基材に接着する、方法。
【０１４８】
１０４．  方法を対象とする前述した実施形態のいずれか１つに記載の方法であって、識別記号は、連続インクジェット印刷により印刷されている、方法。
【０１４９】
１０５．  方法を対象とする前述した実施形態のいずれか１つに記載の方法であって、識別記号は、ピエゾインクジェット印刷により印刷されている、方法。
【０１５０】
１０６．  方法を対象とする前述した実施形態のいずれか１つに記載の方法であって、識別記号は、熱転写印刷により印刷されている、方法。
【０１５１】
１０７．  方法を対象とする前述した実施形態のいずれか１つに記載の方法であって、識別記号は、サーマルインクジェット印刷により印刷されている、方法。
【０１５２】
１０８．  方法を対象とする前述した実施形態のいずれか１つに記載の方法であって、識別記号は、据え置き型のインラインスキャニング装置でスキャンすることができる、方法。
【０１５３】
１０９．  方法を対象とする前述した実施形態のいずれか１つに記載の方法であって、識別記号は、ハンドヘルド式スキャニング装置でスキャンすることができる、方法。
【０１５４】
１１０．  方法を対象とする前述した実施形態のいずれか１つに記載の方法であって、識別記号は、カメラを有するモバイル装置でスキャンすることができる、方法。
【０１５５】
１１１．  方法を対象とする前述した実施形態のいずれか１つに記載の方法であって、識別記号は、カメラを有するモバイル装置でスキャンすることができ、モバイル装置は、携帯電話及びタブレットから選ばれる、方法。
【図１】
2019502939.tif 000003
【図２】
2019502939.tif 000004
【図３】
2019502939.tif 000005
【図４】
2019502939.tif 000006
【国際調査報告】
2019502939.tif 000007
2019502939.tif 000008